(57)【要約】【課題】来訪者用通信器によって撮像された画像の表示を、通信装置の状態および利用者の意図に基づいて制御することができる通信装置を提供することである。【解決手段】カメラ付ドアホン１５に備えられる撮像部によって撮像された来訪者の画像を、表示手段８によって表示するにあたって、カメラ付ドアホン１５が来訪者によって操作されたとき、無条件で来訪者の画像を表示するのではなく、通信装置１の状態に基づいて表示する。具体的には、通信装置１が、他の通信装置との通信および利用者による操作を待機する待機状態にあるか否か、ＣＰＵ２によって判定され、少なくとも待機状態ではないと判定されたときは、利用者が来訪者の画像を表示するか否かを指令する情報に基づいて、来訪者の画像を表示するか否かが制御される。【選択図】      図１
2004208077.tif 000002
【特許請求の範囲】
【請求項１】
通信回線を介して他の通信装置と通信する回線通信手段と、
来訪者が操作する来訪者用通信器であって、来訪者を撮像する撮像部を有する来訪者用通信器と通信する対来訪者通信手段と、
来訪者用通信器の撮像部によって撮像される来訪者の画像を表示可能である表示手段と、
来訪者の画像を表示手段に表示するか否かを指令する表示可否情報を入力する表示可否入力手段と、
来訪者用通信器が来訪者によって操作されたとき、通信装置が、他の通信装置との通信および利用者による操作を待機する待機状態にあるか否かを判定し、少なくとも待機状態ではないと判定した場合、表示可否入力手段によって入力される表示可否情報に基づいて、来訪者の画像を表示するように表示手段を制御する制御手段とを含むことを特徴とする通信装置。
【請求項２】
待機状態における来訪者の画像の表示条件として、来訪者用通信器が来訪者によって操作されることを条件とする第１条件と、来訪者用通信器が来訪者によって操作された後、来訪者の画像を表示するように指令する表示可否情報が入力されることを条件とする第２条件とのいずれかが設定されて記憶される条件記憶手段と、
条件記憶手段に記憶される表示条件を、第１および第２条件のいずれかに選択して入力する条件入力手段とをさらに含み、
制御手段は、来訪者用通信器が来訪者によって操作されたとき、通信装置が待機状態であると判定した場合、条件設定手段に設定される表示条件に基づいて、表示条件を満たしたとき、来訪者の画像を表示するように表示手段を制御することを特徴とする請求項１記載の通信装置。
【請求項３】
表示手段による来訪者の画像の表示を停止する表示停止情報を入力する停止入力手段をさらに有し、
制御手段は、表示手段によって来訪者の画像が表示されているときに表示停止情報が入力されたとき、来訪者用通信器との通信状態にかかわらず、来訪者の画像の表示を停止するように表示手段を制御することを特徴とする請求項１または２記載の通信装置。
【請求項４】
制御手段は、来訪者用通信器との通信が終了したときに表示手段によって来訪者の画像が表示されている場合、来訪者用通信器との通信が終了してから予め設定される通話終了消去設定時間を経過すると、来訪者の画像の表示を停止するように表示手段を制御することを特徴とする請求項１〜３のいずれかに記載の通信装置。
【請求項５】
制御手段は、来訪者用通信器が来訪者によって操作された後応答されずに予め設定される未応答消去設定時間経過したとき、表示手段によって来訪者の画像が表示されている場合、来訪者の画像の表示を停止するように表示手段を制御することを特徴とする請求項１〜４のいずれかに記載の通信装置。
【請求項６】
制御手段は、表示手段によって来訪者の画像を表示しているときに通信回線を介して着信したとき、来訪者の画像の一部に着信に関する情報を重畳して表示するように表示手段を制御することを特徴とする請求項１〜５のいずれかに記載の通信装置。
【発明の詳細な説明】
【０００１】
【発明の属する技術分野】
本発明は、通信回線を介して他の通信装置および来訪者用通信器と通信し、来訪者用通信器によって撮像される画像を表示する通信装置に関する。
【０００２】
【従来の技術】
従来の技術の通信装置である電話装置は、来訪者用通信器であるカメラ付ドアホンに接続され、来客者によってカメラ付ドアホンが操作されたとき、カメラ付ドアホンのカメラによって撮像される来訪者の画像を、表示するように構成されている（たとえば、特許文献１参照）。
【０００３】
また他の従来の技術のカメラ付ドアホンに接続される電話装置は、親機および子機によって構成され、来訪者によってカメラ付ドアホンが操作されたとき、カメラによって撮像された来訪者の画像を親機によって表示するとともに、親機および子機が鳴動するよう構成されている（たとえば、特許文献２参照）。
【０００４】
【特許文献１】
特開平３−２２４３４２号公報
【特許文献２】
特開平８−３７６５８号公報
【０００５】
【発明が解決しようとする課題】
特許文献１および２の電話装置は、カメラ付ドアホンによって撮像された画像を表示している状態で、利用者が表示される画像を変更することができるように構成されておらず、不便であった。またこの電話装置は、利用者が電話装置を操作しているときに、来訪者によってカメラ付ドアホンが操作されると、電話装置は来訪者の画像を、いわば自動的に表示するように構成されている。したがって利用者の意図にかかわらず、利用者による電話装置の操作が中断または無効にされてしまい、不便であった。
【０００６】
したがって本発明の目的は、来訪者用通信器によって撮像された画像の表示を、通信装置の状態および利用者の意図に基づいて制御することができる通信装置を提供することである。
【０００７】
【課題を解決するための手段】
本発明は、通信回線を介して他の通信装置と通信する回線通信手段と、
来訪者が操作する来訪者用通信器であって、来訪者を撮像する撮像部を有する来訪者用通信器と通信する対来訪者通信手段と、
来訪者用通信器の撮像部によって撮像される来訪者の画像を表示可能である表示手段と、
来訪者の画像を表示手段に表示するか否かを指令する表示可否情報を入力する表示可否入力手段と、
来訪者用通信器が来訪者によって操作されたとき、通信装置が、他の通信装置との通信および利用者による操作を待機する待機状態にあるか否かを判定し、少なくとも待機状態ではないと判定した場合、表示可否入力手段によって入力される表示可否情報に基づいて、来訪者の画像を表示するように表示手段を制御する制御手段とを含むことを特徴とする通信装置である。
【０００８】
本発明に従えば、回線通信手段によって他の通信装置と通信することができるとともに、対来訪者通信手段によって来訪者通信器と通信することができる。来訪者通信器との通信によって、来訪者通信器に備えられる撮像部によって撮像された来訪者の画像を取得し、この来訪者の画像を表示手段によって表示することが可能である。来訪者の画像を表示するにあたって、来訪者用通信器が来訪者によって操作されたとき、無条件で来訪者の画像を表示するのではなく、通信装置の状態に基づいて表示する。具体的には、通信装置が、他の通信装置との通信および利用者による操作を待機する待機状態にあるか否か、制御手段によって判定され、少なくとも待機状態ではないと判定されたときは、表示可否情報に基づいて、来訪者の画像を表示するか否かが制御される。表示可否情報は、利用者が表示可否入力手段を操作することによって入力される情報であり、来訪者の画像を表示するか否かの制御に、利用者の意図を反映することができる。これによって、たとえば他の通信装置との通信および通信装置の動作条件の設定操作が、不所望に中断されまたは無効にされるなどの不具合を未然に防ぐことができる。
【０００９】
本発明において、表示可否情報は、たとえば来訪者通信器が来訪者によって操作されたとき、その都度入力される構成あってもよいし、予め入力されて設定されていてもよい。来訪者通信器が操作されたときに入力する場合、来訪者通信器が操作されたことを報知手段によって報知するようにしてもよい。
【００１０】
また本発明は、待機状態における来訪者の画像の表示条件として、来訪者用通信器が来訪者によって操作されることを条件とする第１条件と、来訪者用通信器が来訪者によって操作された後、来訪者の画像を表示するように指令する表示可否情報が入力されることを条件とする第２条件とのいずれかが設定されて記憶される条件記憶手段と、
条件記憶手段に記憶される表示条件を、第１および第２条件のいずれかに選択して入力する条件入力手段とをさらに含み、
制御手段は、来訪者用通信器が来訪者によって操作されたとき、通信装置が待機状態であると判定した場合、条件設定手段に設定される表示条件に基づいて、表示条件を満たしたとき、来訪者の画像を表示するように表示手段を制御することを特徴とする。
【００１１】
本発明に従えば、来訪者の画像を表示するにあたって、通信装置が待機状態であるとき、来訪者用通信器が来訪者によって操作されると、条件記憶手段に設定されて記憶される表示条件に基づいて表示する。表示条件は、第１および第２条件のいずれかであって、表示条件を満たしたとき、制御手段によって来訪者の画像を表示するように、表示手段が制御される。第１条件は、来訪者用通信器が来訪者によって操作されることである。第２条件は、来訪者用通信器が来訪者によって操作された後、表示可否情報が入力されることである。表示条件は、利用者が条件入力手段を操作して、第１および第２条件のいずれかを選択して設定することができるので、表示条件は利用者の意図に基づいて設定することができる。このようにして、来訪者の画像を表示させるか否かに、利用者の意図を反映させることができる。
【００１２】
また本発明は、表示手段による来訪者の画像の表示を停止する表示停止情報を入力する停止入力手段をさらに有し、
制御手段は、表示手段によって来訪者の画像が表示されているときに表示停止情報が入力されたとき、来訪者用通信器との通信状態にかかわらず、来訪者の画像の表示を停止するように表示手段を制御することを特徴とする。
【００１３】
本発明に従えば、表示手段によって来訪者の画像が表示されているときに表示停止情報が入力されたとき、来訪者用通信器との通信状態にかかわらず、来訪者の画像の表示を停止するように表示手段が制御される。表示停止情報は、利用者が停止入力手段を操作することによって入力される情報であり、来訪者の画像の表示を停止する操作を、利用者の意志で実行することができる。したがって利用者が、他の画像を表示手段に表示させたい場合、来訪者の画像の表示を停止することによって、支障なく他の画像を表示することができる。
【００１４】
また本発明は、制御手段は、来訪者用通信器との通信が終了したときに表示手段によって来訪者の画像が表示されている場合、来訪者用通信器との通信が終了してから予め設定される通話終了消去設定時間を経過すると、来訪者の画像の表示を停止するように表示手段を制御することを特徴とする。
【００１５】
本発明に従えば、通信装置と来訪者用通信器との通信が終了してから予め設定される通話終了消去設定時間を経過すると、来訪者の画像の表示を停止するように表示手段が制御される。したがって来訪者用通信器との通信が終了してから、表示手段が来訪者の画像を表示したままの状態が継続されることを防ぐことができる。
【００１６】
また本発明は、制御手段は、来訪者用通信器が来訪者によって操作された後応答されずに予め設定される未応答消去設定時間経過したとき、表示手段によって来訪者の画像が表示されている場合、来訪者の画像の表示を停止するように表示手段を制御することを特徴とする。
【００１７】
本発明に従えば、来訪者用通信器が来訪者によって操作された後応答されずに予め設定される未応答消去設定時間経過したとき、来訪者の画像の表示を停止するように表示手段が制御される。したがって利用者が応答していない場合、表示手段が来訪者の画像を表示したままの状態を継続されることを防ぐことができる。
【００１８】
また本発明は、制御手段は、表示手段によって来訪者の画像を表示しているときに通信回線を介して着信したとき、来訪者の画像の一部に着信に関する情報を重畳して表示するように表示手段を制御することを特徴とする。
【００１９】
本発明に従えば、表示手段によって来訪者の画像を表示しているときに通信回線を介して着信したとき、来訪者の画像の一部に着信に関する情報を重畳して表示するように表示手段が制御される。したがって利用者は、来訪者の画像および着信に関する情報を共に確認することができる。
【００２０】
【発明の実施の形態】
図１は、本発明の実施の一形態の通信装置１の電気的構成を示すブロック図である。通信装置１は、中央処理装置（Central Processing Unit：略称ＣＰＵ）２、データバス３、ロム（Read Only Memory：略称ＲＯＭ）４、ラム（Random Access Memory：略称ＲＡＭ）５、タイマ６、入力操作手段７、表示手段８、印刷手段９、通信手段１０、ドアホン接続手段１１および音発生手段１２を含んで構成される。
【００２１】
ＣＰＵ２は制御手段としての機能を有する。ＣＰＵ２は、ＲＯＭ４に記憶される表示画面制御プログラム１３およびルーチン機能実行プログラム１４を読み出して実行し、各構成部を制御する。ＣＰＵ２は、表示画面制御プログラム１３を実行し、表示手段８に制御指令を与えて、表示手段８を制御する。ＣＰＵ２は、ルーチン機能実行プログラム１４を実行し、通信装置１の各構成部４〜７，９〜１２がそれぞれ所定の機能を実現するように、各構成部４〜７，９〜１２に制御指令を与えて制御する。ＣＰＵ２は、入力操作手段７からの入力指令、通信回線である電話回線１６からのたとえば発呼指令、および来訪者用通信器であるカメラ付ドアホン（以下、単に「ドアホン」ということがある）１５からドアホン１５が操作されたことを示す指令が与えられ、与えられた各指令に基づいて通信装置１の各構成部４〜７，９〜１２に制御指令を与える。
【００２２】
ＲＯＭ４は、表示画面制御プログラム１３およびルーチン機能実行プログラム１４が記憶される。ＲＯＭ４は、ＣＰＵ２から与えられた制御指令に従って、記憶されるプログラムを実行する。表示画面制御プログラム１３は、表示手段を制御するプログラムである。ルーチン機能実行プログラム１４は、各構成部４〜７，９〜１２を制御するプログラムである。
【００２３】
ＲＡＭ５は、登録設定記憶部１７、表示画面バッファ１８、待機画面バッファ１９およびワークエリア２０を含んで構成される。登録設定記憶部１７は、通信装置１の、たとえば呼出音の音量設定などの設定が記憶される。表示画面バッファ１８は、表示手段８に表示される来訪者の画像が一時記憶される。待機画面バッファ１９は、通信装置１が、他の通信装置との通信および利用者による操作を待機する待機状態のとき、表示手段８に表示される画像が一時記憶される。ワークエリア２０は、ＣＰＵ２が通信装置１の各構成部４〜７，９〜１２を制御するための情報が、一時記憶される。
【００２４】
データバス３は、信号を伝達する信号線であって、ＣＰＵ２および各構成部４〜７，９〜１２はデータバス３を介して互いに接続される。
【００２５】
タイマ６は、第１タイマと第２タイマを含んで構成される。第１および第２タイマは、ＣＰＵ２に与えられた制御指令に基づいて、それぞれ予め設定される時間を経過した場合、時間が経過したことを示す指令をＣＰＵ２に与える。第１タイマは、ドアホン１５が来訪者によって操作された後応答されずに予め利用者によって設定される未応答消去設定時間が経過した場合、経過したことを示す指令をＣＰＵ２に与える。第２タイマは、ドアホン１５との通信が終了したときに表示手段８によって来訪者の画像が表示されている場合、ドアホン１５との通信が終了してから予め利用者によって設定される通話終了消去設定時間が経過したとき、経過したことを示す指令をＣＰＵ２に与える。
【００２６】
入力操作手段７は、テンキー、ファンクションキーおよびカーソルキーなどを備える。入力操作手段７は、入力操作手段７によって入力された情報をＣＰＵ２に与える。テンキーは、たとえば電話番号などの入力に用いられる。ファンクションキーは、たとえば呼出音の音量設定などの各種設定などを行うためのキーである。カーソルキーは、カーソルの移動などに用いられる。
【００２７】
表示手段８は、ＣＰＵ２から与えられる制御指令に従って、待機画像、登録設定入力画像および来訪者画像などが表示可能である。待機画像は、通信装置１が利用者による操作を待機する状態のときの画像である。登録設定入力画像は、通信装置１の設定を操作する場合に表示される画像である。来訪者画像は、ドアホンの撮像部によって撮像される来訪者の画像である。印刷手段９は、ＣＰＵ２から与えられる制御指令に従って、表示手段８に表示される画像などを印刷する。
【００２８】
通信手段１０は、回線通信手段であって、通信回線である電話回線１６を介して他の通信装置と通信する。通信手段１０は、電話回線１６の状況を監視するとともに、電話回線１６から到来する、換言すれば送られる指令を、ＣＰＵ２に与える。また通信手段１０は、モデムを含んで構成される。モデムは、電話回線１６から到来するアナログ信号をデジタル信号に変換した後、変換した信号に基づく指令をＣＰＵ２に与える。
【００２９】
ドアホン接続手段１１は、対来訪者通信手段であって、ドアホン１５と通信し、ドアホン１５の状況を監視するとともに、ドアホン１５から与えられる指令を、ＣＰＵ２に与える。
【００３０】
音発生手段１２は、ドアホン１５または他の通信装置から電話回線１６などを介して呼出しなどがあると、ＣＰＵ２から与えられる制御指令に基づいて、呼出音が鳴動する。
【００３１】
ＲＡＭ５は、条件記憶手段としての機能も有する。条件記憶手段は、通信装置１が待機状態における来訪者の画像の表示条件が、設定されて記憶される。
【００３２】
入力操作手段７は、表示可否入力手段としての機能も有する。表示可否入力手段によって、来訪者の画像を表示手段８に表示するか否かを指令する表示可否情報が入力される。
【００３３】
また入力操作手段７は、条件入力手段としての機能も有する。条件入力手段によって、条件記憶手段に設定されて記憶される表示条件を選択して設定することができる。
【００３４】
また入力操作手段７は、停止入力手段としての機能も有する。停止入力手段によって、表示手段８による来訪者の画像の表示を停止する表示停止情報が入力される。
【００３５】
カメラ付ドアホン１５は、来訪者用通信器であって、来訪者を撮像する撮像部を有する。ドアホン１５は、たとえば建物の入口に配置される。ドアホン１５は、来訪者が操作することによって、たとえば建物の内部に配置される通信装置１と通信して、来訪者の画像および音声と通信装置１の利用者の音声との送受信を行う。
【００３６】
図２は、本実施の形態の通信装置１において、来訪者によってカメラ付ドアホン１５が操作されてから、通信装置１に表示される来訪者の画像の表示が終了するまで、ＣＰＵ２の一連の処理の流れを示すフローチャートである。
【００３７】
ステップａ０にて図２の処理が開始される。ステップａ１では、来訪者がドアホン１５を操作、具体的にはドアホン１５が備えるボタンを来訪者が押下する。ドアホン１５は、通信装置１のドアホン接続手段１１に、ドアホン１５が操作されたことを示す指令を与える。ドアホン接続手段１１は、ドアホン１５が操作されたこと示す指令をＣＰＵ２に与え、ステップａ２に進む。ステップａ２では、第１タイマがセットされ、ステップａ３に進む。第１タイマは、予め利用者によって設定される未応答消去設定時間が経過した場合、経過したことを示す指令をＣＰＵ２に与える。未応答消去設定時間は、たとえば３０秒〜６０秒の間の時刻に設定される。
【００３８】
ステップａ３では、ドアホン映像表示処理を行い、ステップａ４に進む。ドアホン映像表示処理は、ドアホン１５の撮像部によって撮像された来訪者の画像を、通信装置１の表示手段８が表示する処理である。ステップａ４では、第１タイマが未応答消去設定時間経過しているか判断され、未応答消去設定時間経過している場合、経過していることを示す指令をＣＰＵ２に与え、ステップａ１８に進む。未応答消去設定時間経過していない場合、ステップａ５に進む。
【００３９】
ステップａ５では、利用者による画像表示消去操作の有無が判断される。画像表示消去操作は、来訪者の画像の表示を停止する表示停止情報の入力のことであり、表示停止情報が停止入力手段によって入力された場合、入力されたことを示す指令をＣＰＵ２に与え、ステップａ１８に進む。表示停止情報が入力されていない場合、ステップａ６に進む。
【００４０】
ステップａ６では、電話回線１６からの着信の有無が判断され、着信がある場合、着信があることを示す指令をＣＰＵ２に与え、ステップａ７に進む。着信がない場合、ステップａ８に進む。ステップａ７では、ＣＰＵ２が表示手段８に制御指令を与え、着信情報表示処理を行い、ステップａ８に進む。着信情報表示処理は、表示手段８によって来訪者の画像を表示しているときに電話回線１６を介して着信したとき、来訪者の画像の一部に着信に関する情報を重畳して表示する処理である。
【００４１】
ステップａ８では、ドアホン応答通話フラグが１であるか否かが判断される。ドアホン応答通話フラグは、ドアホン１５が来訪者によって操作された後応答されたがどうかを判定する状態フラグであり、ドアホン応答通話フラグには予め０がセットされている。利用者が応答した場合、ドアホン応答通話フラグに１がセットされる。ドアホン応答通話フラグが１である場合、ステップａ９に進み、ドアホン応答通話フラグが１でない場合、ステップａ４に進む。
【００４２】
ステップａ９では、ステップａ５と同じ処理がされ、表示停止情報が入力された場合、ステップａ１８に進む。表示停止情報が入力されていない場合、ステップａ１０に進む。ステップａ１０では、ステップａ６と同じ処理がされ、着信がある場合、ステップａ１１に進み、着信がない場合、ステップａ１２に進む。ステップａ１１では、ステップａ７と同じ処理がされ、着信情報表示処理を行い、ステップａ１２に進む。
【００４３】
ステップａ１２では、ドアホン１５を介して来訪者と利用者との通信が終了しているかが判断され、通信が終了している場合、ステップａ１３に進む。通信が終了していない場合、ステップａ９に進む。
【００４４】
ステップａ１３では、第２タイマがセットされ、ステップａ１４に進む。第２タイマは、予め利用者によって設定される通話終了消去設定時間が経過した場合、経過したことを示す指令をＣＰＵ２に与える。通話終了消去設定時間は、たとえば０秒〜３０秒の間の時刻に設定される。
【００４５】
ステップａ１４では、ステップａ５と同じ処理がされ、表示停止情報が入力された場合、ステップａ１８に進む。表示停止情報が入力されていない場合、ステップａ１５に進む。ステップａ１５では、ステップａ６と同じ処理がされ、着信がある場合、ステップａ１６に進み、着信がない場合、ステップａ１７に進む。ステップａ１６では、ステップａ７と同じ処理がされ、着信情報表示処理を行い、ステップａ１７に進む。
【００４６】
ステップａ１７では、第２タイマが通話終了消去設定時間経過しているか判断され、通話終了消去設定時間経過している場合、経過していることを示す指令をＣＰＵ２に与え、ステップａ１８に進む。通話終了消去設定時間経過していない場合、ステップａ１４に進む。ステップａ１８では、ドアホン映像表示終了処理を行い、ステップａ１９に進む。ドアホン映像表示終了処理は、表示手段８が来訪者の画像の表示を停止する処理である。ドアホン映像表示終了処理を行う場合、ＣＰＵ２が表示手段８に制御指令を与えて、表示手段８は来訪者の画像の表示を停止する。ステップａ１９にて、本フローチャートを終了する。
【００４７】
したがってＣＰＵ２は、ドアホン１５との通信が終了したときに表示手段８によって来訪者の画像が表示されている場合、ドアホン１５との通信が終了してから予め設定される通話終了消去設定時間を経過すると、来訪者の画像の表示を停止するように表示手段８を制御する。
【００４８】
またＣＰＵ２は、表示手段８によって来訪者の画像を表示しているときに電話回線１６を介して着信したとき、来訪者の画像の一部に着信に関する情報を重畳して表示するように表示手段８を制御する。
【００４９】
またＣＰＵ２は、ドアホン１５が来訪者によって操作された後応答されずに予め設定される未応答消去設定時間経過したとき、表示手段８によって来訪者の画像が表示されている場合、来訪者の画像の表示を停止するように表示手段８を制御する。
【００５０】
またＣＰＵ２は、表示手段８によって来訪者の画像が表示されているときに表示停止情報が入力されたとき、ドアホン１５ｄの通信状態にかかわらず、来訪者の画像の表示を停止するように表示手段を制御する。
【００５１】
図３は、図２のステップａ３におけるドアホン映像表示処理を示すフローチャートである。通信装置１において、来訪者によってカメラ付ドアホン１５が操作されてから、通信装置１に来訪者の画像を表示するまで、ＣＰＵ２の一連の処理の流れを示す。
【００５２】
ステップｂ０にて、来訪者によってドアホン１５が操作され、第１タイマがセットされた状態であり、その状態からステップｂ１の処理が開始される。ステップｂ１では、ＣＰＵ２は、ドアホン１５が操作されたことを示す指令がドアホン接続手段１１から与えられており、その指令に基づいて、制御指令を音発生手段１２に与え、音発生手段１２が呼出音を鳴動し、ステップｂ２に進む。ステップｂ２では、通信装置１が、他の通信装置との通信および利用者による操作を待機する待機状態にあるか否かが判定される。待機状態である場合、ステップｂ３に進む。待機状態でない場合、ステップｂ４に進む。
【００５３】
ステップｂ３では、条件記憶手段に記憶される表示条件が、第１条件であるか第２条件であるかが判断される。第１条件は、ドアホン１５が来訪者によって操作されることである。第２条件は、ドアホン１５が来訪者によって操作された後、来訪者の画像を表示するように指令する表示可否情報が入力されることである。条件記憶手段に第１条件が設定されている場合、ステップｂ９に進む。条件記憶手段に第２条件が設定されている場合、ステップｂ７に進む。
【００５４】
ステップｂ４では、表示手段８が、来訪者の画像を表示するか否かを利用者に判断させる画像を表示し、ステップｂ５に進む。ステップｂ５では、表示可否入力手段を用いて、利用者が来訪者の画像を表示する指令が、入力されたかどうかが判断される。表示する指令が入力された場合、ステップｂ９に進む。表示する指令が入力されない場合、ステップｂ６に進む。ステップｂ６では、第１タイマが未応答消去設定時間経過しているか判断され、未応答消去設定時間経過している場合、経過していることを示す指令をＣＰＵ２に与え、結合子１に進む。未応答消去設定時間経過していない場合、ステップｂ５に進む。結合子１は、図２における結合子１に結合される。
【００５５】
ステップｂ７では、ステップｂ５と同じ処理がされ、来訪者の画像を表示する指令が入力された場合、ステップｂ９に進む。表示する指令が入力されない場合、ステップｂ８に進む。ステップｂ８では、ステップｂ６と同じ処理がされ、第１タイマが未応答消去設定時間経過しているか判断され、未応答消去設定時間経過している場合、結合子１に進む。未応答消去設定時間経過していない場合、ステップｂ７に進む。
【００５６】
ステップｂ９では、表示手段８が、来訪者の画像を表示し、ステップｂ１０に進む。ステップｂ１０にて、本フローチャートを終了する。
【００５７】
したがってＣＰＵ２は、ドアホン１５が来訪者によって操作されたとき、通信装置１が、他の通信装置との通信および利用者による操作を待機する待機状態にあるか否かを判定し、少なくとも待機状態ではないと判定した場合、表示可否入力手段によって入力される表示可否情報に基づいて、来訪者の画像を表示するように表示手段８を制御する。表示可否情報は、たとえばドアホン１５が来訪者によって操作されたとき、その都度入力される構成であってもよいし、予め入力されて設定されていてもよい。
【００５８】
またＣＰＵ２は、条件記憶手段に記憶される表示条件に基づいて、表示条件を満たしたとき、来訪者の画像を表示するように表示手段８を制御する。
【００５９】
本実施の形態の通信装置１では、通信手段１０によって他の通信装置と通信することができるとともに、ドアホン接続手段１１によってドアホン１５と通信することができる。ドアホン１５との通信によって、ドアホン１５に備えられる撮像部によって撮像された来訪者の画像を取得し、この来訪者の画像を表示手段８によって表示することが可能である。来訪者の画像を表示するにあたって、ドアホン１５が来訪者によって操作されたとき、無条件で来訪者の画像を表示するのではなく、通信装置１の状態に基づいて表示する。具体的には、通信装置１が、他の通信装置との通信および利用者による操作を待機する待機状態にあるか否か、ＣＰＵ２によって判定され、少なくとも待機状態ではないと判定されたときは、表示可否情報に基づいて、来訪者の画像を表示するか否かが制御される。表示可否情報は、利用者が表示可否入力手段を操作することによって入力される情報であり、来訪者の画像を表示するか否かの制御に、利用者の意図を反映することができる。これによって、たとえば他の通信装置との通信および通信装置１の動作条件の設定操作が、不所望に中断されまたは無効にされるなどの不具合を未然に防ぐことができる。したがって、通信装置１の利便性を向上することができる。
【００６０】
また本実施の形態の通信装置１では、来訪者の画像を表示するにあたって、通信装置１が待機状態であるとき、ドアホン１５が来訪者によって操作されると、条件記憶手段に設定されて記憶される表示条件に基づいて表示する。表示条件は、第１および第２条件のいずれかであって、表示条件を満たしたとき、ＣＰＵ２によって来訪者の画像を表示するように、表示手段８が制御される。第１条件は、来訪者用通信器が来訪者によって操作されることである。第２条件は、来訪者用通信器が来訪者によって操作された後、表示可否情報が入力されることである。表示条件は、利用者が条件入力手段を操作して、第１および第２条件のいずれかを選択して設定することができるので、表示条件は利用者の意図に基づいて設定することができる。このようにして、来訪者の画像を表示させるか否かに、利用者の意図を反映させることができる。したがって通信装置１の利便性を、向上することができる。
【００６１】
また本実施の形態の通信装置１では、表示手段８によって来訪者の画像が表示されているときに表示停止情報が入力されたとき、ドアホン１５との通信状態にかかわらず、来訪者の画像の表示を停止するように表示手段８が制御される。表示停止情報は、利用者が停止入力手段を操作することによって入力される情報であり、来訪者の画像の表示を停止する操作を、利用者の志で実行することができる。したがって利用者が、他の画像を表示手段８に表示させたい場合、来訪者の画像の表示を停止することによって、支障なく他の画像を表示することができる。
【００６２】
また本実施の形態の通信装置１では、通信装置１とドアホン１５との通信が終了してから予め設定される通話終了消去設定時間を経過すると、来訪者の画像の表示を停止するように表示手段８が制御される。したがってドアホン１５との通信が終了してから、表示手段８が来訪者の画像を表示したままの状態を継続されることを防ぐことができる。したがって通信装置１が待機状態であること示す画像を、確実に表示することができる。
【００６３】
また本実施の形態の通信装置１では、ドアホン１５が来訪者によって操作された後応答されずに予め設定される未応答消去設定時間経過したとき、来訪者の画像の表示を停止するように表示手段８が制御される。したがって利用者が応答していない場合、表示手段８が来訪者の画像を表示したままの状態を継続されることを防ぐことができる。したがって通信装置１が待機状態であること示す画像を、確実に表示することができる。
【００６４】
また本実施の形態の通信装置１では、表示手段８によって来訪者の画像を表示しているときに電話回線１６を介して着信したとき、来訪者の画像の一部に着信に関する情報を重畳して表示するように表示手段８が制御される。したがって利用者は、来訪者の画像および着信に関する情報を共に確認することができる。
【００６５】
また本実施の形態の通信装置１は、他の通信装置と電話回線１６を介して接続されているが、通信回線である電話回線１６は、たとえば光ファイバから成ってもよい。
【００６６】
本発明は、電話装置に限らず、通信回線を介して他の通信装置と接続されるすべての通信装置、たとえばファクシミリ装置などでも有効である。
【００６７】
【発明の効果】
以上のように本発明によれば、表示可否情報に基づいて、来訪者の画像を表示するか否かが制御される。来訪者の画像を表示するか否かの制御に、利用者の意図を反映することができる。これによって、たとえば他の通信装置との通信および通信装置の動作条件の設定操作が、不所望に中断されまたは無効にされるなどの不具合を未然に防ぐことができる。したがって、通信装置の利便性を向上することができる。
【００６８】
また本発明によれば、利用者は、表示条件を第１および第２条件のいずれかを選択することができるので、表示条件は利用者の意図に基づいて設定することができる。このようにして、来訪者の画像を表示させるか否かに、利用者の意図を反映させることができる。したがって通信装置の利便性を、向上することができる。
【００６９】
また本発明によれば、停止入力手段によって表示停止情報が入力されたとき、来訪者の画像の表示を停止するように表示手段を制御する。したがって利用者が、他の画像を表示手段に表示させたい場合、来訪者の画像の表示を停止することによって、支障なく他の画像を表示することができる。
【００７０】
また本発明によれば、来訪者用通信器との通信が終了してから、表示手段が来訪者の画像を表示したままの状態が継続されることを防ぐことができる。したがって通信装置が待機状態であること示す画像を、確実に表示することができる。
【００７１】
また本発明によれば、利用者に応答していない場合、表示手段が来訪者の画像を表示したままの状態が継続されることを防ぐことができる。したがって通信装置が待機状態であること示す画像を、確実に表示することができる。
【００７２】
また本発明によれば、利用者は、来訪者の画像および着信に関する情報を共に確認することができる。したがって利用者は、来訪者の画像が中断されることなく、着信に関する情報を確認することができる。
【図面の簡単な説明】
【図１】本発明の実施の一形態である通信装置１の電気的構成を示すブロック図である。
【図２】本発明の実施の一形態である通信装置１において、カメラ付ドアホン１５が操作されてから、来訪者の画像を表示が終了するまでの処理を示すフローチャートである。
【図３】本発明の実施の一形態である通信装置１のドアホン映像表示処理を示すフローチャートである。
【符号の説明】
１  通信装置
２  ＣＰＵ
４  ＲＯＭ
５  ＲＡＭ
６  タイマ
７  入力操作手段
８  表示手段
１０  通信手段
１１  ドアホン接続手段
１５  カメラ付ドアホン
１６  電話回線
【図１】
2004208077.tif 000003
【図２】
2004208077.tif 000004
【図３】
2004208077.tif 000005